(57)【要約】【課題】  キャッチ機能とストッパー機能を有し、構造が簡単でコンパクトなアングル丁番の提供。【解決手段】  扉１を取付ける枠の内側面２に固定する枠側固定具３と、扉の背面に固定する扉側固定具４と、両固定具を回動自在に繋ぐ回動軸５とを備え、枠側固定具３は、係合部６と、回動軸と平行に設けた軸８により回動自在に設けたストッパーアーム７とを有し、扉側固定具４は、係合部６に弾性的に係脱自在な被係合部９と、ストッパーフック１０とを有し、被係合部９の係合部６に対する係合により扉１の閉状態を保持し、ストッパーフック１０のストッパーアーム７に対する係合により扉１の開く範囲を規制することを特徴とする。【選択図】      図１
2005155239.tif 000002
【特許請求の範囲】
【請求項１】
扉を取付ける枠の内側面に固定する枠側固定具と、扉の背面に固定する扉側固定具と、両固定具を回動自在に繋ぐ回動軸とを備え、枠側固定具は、係合部と、回動軸と平行に設けた軸により回動自在に設けたストッパーアームとを有し、扉側固定具は、係合部に弾性的に係脱自在な被係合部と、ストッパーフックとを有し、被係合部の係合部に対する係合により扉の閉状態を保持し、ストッパーフックのストッパーアームに対する係合により扉の開く範囲を規制することを特徴とするアングル丁番。
【請求項２】
係合部は、回動軸と平行な軸により枠側固定具に回動自在に設けたローラーであることを特徴とする請求項１記載のアングル丁番。
【発明の詳細な説明】
【技術分野】
【０００１】
本発明は、キャッチ機能とストッパー機能を有するアングル丁番に関するものである。
【背景技術】
【０００２】
家具の扉を取付けるための丁番として、アングル丁番がよく用いられる。アングル丁番は、図４に示すように、家具本体９０と扉９１に取付く固定具９２，９３がアングル形となった丁番で、アウトセットの扉（家具本体の小口面にかぶる状態で取り付けられる扉）を体裁良く取付けできる、扉が大回りして開くので家具本体の開口部を全部開くことができる、取付けが容易に行える、といった特徴がある。家具の扉は、閉じた状態で自然に開かないように保持する必要があり、丁番とは別個にマグネットキャッチ等のキャッチを扉と家具本体との間に設けている。また、扉の開き角度をある一定の範囲で規制したい場合には、扉と家具本体との間にストッパー金具を設けている。
【０００３】
特許文献１には、キャッチ機能の付いた丁番が開示されているが、この丁番のキャッチ部はスプリングが内蔵された構造のものであり、コスト高につながるものであった。また特許文献２には、ストッパー機能の付いた丁番が開示されている。このストッパー機構は、本体側の固着板部４１，８１に係止板部４３，８３を設け、扉側の固着板部５１に係止板部５３を設け、扉を開いたときに各係止板部に設けた爪板４４，８４とストッパー板５４とが係止して、扉の開き角度が規制されるものとなっており、扉を閉じたときに本体側の係止板部４３，８３が扉側の係止板部５３に呑み込まれるように、扉側の係止板部５３を大きく形成する必要があることから、丁番をコンパクトなものにすることが困難であるばかりか、扉を閉じたときに扉側の係止板部５３が本体内に大きく回り込むため、本体内にそのためのスペースがある場合にしか使用できず、使用できる場所が限定される。一つの丁番にキャッチ機能とストッパー機能の両方を付けようとすれば、構造が一層複雑化し、大型化する。
【特許文献１】実公平６−８２３５号公報
【特許文献２】特開昭６０−１２３６８６号公報
【発明の開示】
【発明が解決しようとする課題】
【０００４】
本発明は以上に述べたような実情に鑑みてなされたものであって、キャッチ機能とストッパー機能を有し、構造が簡単でコンパクトなアングル丁番の提供を目的とする。
【課題を解決するための手段】
【０００５】
上記の課題を達成するために、請求項１記載の発明によるアングル丁番は、扉を取付ける枠の内側面に固定する枠側固定具と、扉の背面に固定する扉側固定具と、両固定具を回動自在に繋ぐ回動軸とを備え、枠側固定具は、係合部と、回動軸と平行に設けた軸により回動自在に設けたストッパーアームとを有し、扉側固定具は、係合部に弾性的に係脱自在な被係合部と、ストッパーフックとを有し、被係合部の係合部に対する係合により扉の閉状態を保持し、ストッパーフックのストッパーアームに対する係合により扉の開く範囲を規制することを特徴とする。
【０００６】
請求項２記載の発明は、係合部は、回動軸と平行な軸により枠側固定具に回動自在に設けたローラーであることを特徴とする。
【発明の効果】
【０００７】
請求項１記載の発明によるアングル丁番は、それ自体にキャッチ機能とストッパー機能の両方を備えているので、キャッチやストッパー金具を別に設置しなくても、扉の閉状態を保持できるとともに、扉の開く範囲を規制できる。また本発明のアングル丁番は、この二つの機能を有するものでありながら、構造を比較的簡単にすることができる。また、扉を閉じたときにストッパーアームが回動して、ストッパーアームとストッパーフックの両方が枠側固定具と扉側固定具の間に納まるので極めてコンパクトであるとともに、ストッパーアームやストッパーフックの家具本体及び扉との干渉を考慮する必要がなく、使用がしやすい。さらに、アングル丁番であることから、アウトセットの扉を意匠面を考慮してスマートに取付けできる、家具本体の開口部を全部開くことができるといった効果がある。
【０００８】
請求項２記載の発明は、係合部を、回動軸と平行な軸により枠側固定具に回動自在に設けたローラーとしたことで、枠側固定具のローラーと扉側固定具の被係合部の係合・離脱がスムーズに行え、且つ係合時の引っ掛かりを強くすることができるのでキャッチ機能が安定して働き、また被係合部とローラーの損耗が防がれキャッチ機能の耐久性も良好となる。
【発明を実施するための最良の形態】
【０００９】
以下、本発明の実施の形態を図面に基づいて説明する。図１は、本発明に係るアングル丁番の一実施形態を示す斜視図であり、図２は同丁番の分解斜視図であり、図３（ａ），（ｂ）は同丁番の使用状態を示す平面図であって、（ａ）図は扉を閉じた状態、（ｂ）図は扉を最大限に開いた状態を示している。このアングル丁番は、扉が取り付けられる枠の内側面２に固定される枠側固定具３と、扉１の背面に固定される扉側固定具４と、両固定具を回動自在に繋ぐ回動軸５とを備え、扉１を閉じた状態で保持するためのキャッチ機能と、扉１の開く角度を一定の角度までに規制するストッパー機能とを有するものとなっている。
【００１０】
枠側固定具３は、家具本体の側板１２の内側面２に密着させ、取付ビス１５により固定される固定片１３と、側板１２の小口面に密着する前側片１４とを有し、固定片１３には取付ビスの挿通孔１６が上下方向の長孔状に二箇所に形成してある。固定片１３の後側端部には、キャッチ用のローラー６の保持部３３を上下二箇所に突設してあり、同保持部の間にローラー６を上下の姿勢で配置し、上下から挿入したスプリングピン１１により回動自在に保持してある。固定片１３の前側端部には、扉の開き角度を規制するためのストッパーアーム７の軸８を収容する溝１７が形成してある。ストッパーアーム７は、細い金属の丸棒をコ字状に折り曲げ、さらにその上下の端部を上側と下側にそれぞれ折り曲げてストッパー部１８を形成したものとなっており、中間の軸８を前記溝１７に収容して回動自在に保持してある。前側片１４は、先端側の縁部を前方に突出させて、回動軸５の挿通部１９を形成してある。
【００１１】
扉側固定具４は、一端側に回動軸５の挿通部２０を備え、その上下方向の中間部に切り欠き２１を設けて枠側固定具の回動軸挿通部１９を嵌め込み、両固定具の回動軸挿通部１９，２０に一本の回動軸５を挿通して、二つの固定具を回動自在に繋いである。また扉側固定具４は、回動軸の挿通部２０より後側に階段状に屈曲して延び、その先に扉取付片２２を形成してあり、さらに扉取付片２２に対向する形で、枠側固定具のローラー６に対する被係合片２３を形成してある。被係合片２３の先端部には、内側に突出する被係合部９を有し、そのさらに先端側に外側に向けて斜めに延びる係合ガイド部２４を有している。扉取付片２２と被係合片２３との間の連結部２５は、凹凸状に褶曲する形となっており、これにより被係合片２３のバネ性を高めている。扉側固定具４は、アルミ合金の押出形材を用いることができる。
【００１２】
扉１は、縦框２６の背面を扉取付片２２に密着させ、被係合片２３に形成した抜き孔２７から挿入した取付ビス２８により、扉取付片２２に固定してある。また、取付ビス２８で共締めする形で、扉取付片２２の扉１と反対の面にストッパーフック１０を取付けてある。ストッパーフック１０は、扉１を一定の角度まで開いた時に、ストッパーアーム７のストッパー部１８が引っ掛かるフック部２９を備え、フック部２９には溝３０が形成してあり、その溝３０内にストッパーアーム７のアーム部３１を保持させてある。
【００１３】
本アングル丁番は以上のように構成され、扉１を閉めると扉側固定具４の被係合片２３が弾性的に外側に開いて枠側固定具３のローラー６に乗り上げ、ローラー６が回転し、図３（ａ）に示すように、被係合片２３の被係合部９がローラー６に弾性的に係合し、扉１は閉状態に保持される。この時、ストッパーアーム７のストッパー部１８は、ストッパーフック１０のフック部２９から外れた状態にある。扉１を開くと、被係合部９がローラー６から外れ、ストッパーアーム７は、アーム部３１がストッパーフック１０の溝３０に引っ掛かっているため、扉を開くのに連動して軸８を支点として回動し、図３（ｂ）に示すように、ストッパーアーム７のストッパー部１８がストッパーフック１０のフック部２９に係合したところで、扉１の開き角度が規制される。図示のものは、扉１が約１００°開いたところでストップするようにしてある。なお、ストッパーフック１０のビス挿通孔３２は横長の長孔状としてあるので、取付位置を長孔の範囲で横にずらすことにより、扉１のストップする角度を微調整できる。また、ストッパーアーム７を、アーム部３１の長さの異なるものに交換すれば、扉１のストップする角度を変更できる。
【００１４】
ストッパーフック１０の別の実施形態として、ストッパーフック１０のフック部２９の先端をより長く延ばし、扉を閉じた図３（ａ）の状態でも、ストッパーアーム７のストッパー部１８がストッパーフック１０のフック部２９に係合するようにすることもできる。この場合には、必ずしもフック部２９にストッパーアーム７のアーム部３１が係止する溝３０を設けなくてもよい。
【００１５】
本発明のアングル丁番は、以上に述べた実施形態に限定されない。枠側固定具、扉側固定具の具体的な形状は、扉の側端部の形状、扉の厚み、扉の取付け方などに応じて、適宜変更することができる。本発明のアングル丁番は、インセットの扉（扉の外周が家具本体の開口部内に収まる扉）の取付けにも用いることができる。
【図面の簡単な説明】
【００１６】
【図１】本発明のアングル丁番の一実施形態を示す斜視図であって、扉を開いてストッパーが掛かった時の状態を示している。
【図２】本発明のアングル丁番の分解斜視図である。
【図３（ａ）（ｂ）】本発明のアングル丁番の使用状態を示す平面図であって、（ａ）図は扉を閉じた時の状態、（ｂ）図は扉を最大限に開いた時の状態を示している。
【図４】従来のアングル丁番を示す斜視図である。
【符号の説明】
【００１７】
１  扉
２  枠の内側面
３  枠側固定具
４  扉側固定具
５  回動軸
６  ローラー（係合部）
７  ストッパーアーム
８  軸
９  被係合部
１０  ストッパーフック
１１  スプリングピン（軸）
【図１】
2005155239.tif 000003
【図２】
2005155239.tif 000004
【図３（ａ）（ｂ）】
2005155239.tif 000005
【図４】
2005155239.tif 000006